(57)【要約】【課題】本発明では、視力の強弱に関わらず同一の媒体で情報を提供することが可能な画像を形成する画像処理装置、画像処理方法、及び同一の媒体で情報を提供することが可能な画像形成媒体を提供する。【解決手段】非立体画像の画像データから、この非立体画像の形状に対応する立体画像オブジェクト、及び非立体画像内に文字で記されている情報を点字で表す点字オブジェクトからなる立体画像の立体画像データを生成すると共に、非立体画像データの非立体画像に立体画像データの立体画像を重畳させた重畳画像データを生成し、この重畳画像データに基づいて画像形成を行う。【選択図】　図１
2004077928.tif 000002
【特許請求の範囲】
【請求項１】
非立体画像が形成される非立体画像データを入力する画像データ入力手段と、
前記画像データ入力手段により入力された非立体画像データに対応する立体画像データを生成する立体画像データ生成手段と、
前記立体画像データ生成手段により生成された立体画像データの画像と前記非立体画像データの画像とを重畳させた重畳画像データを生成する画像重畳手段とを具備することを特徴とする画像処理装置。
【請求項２】
前記非立体画像データと前記立体画像データとは、
同一内容の情報が表現される画像の画像データであり、
前記画像の形状が異なる
ことを特徴とする請求項１記載の画像処理装置。
【請求項３】
前記非立体画像データは、
視覚によって情報を認識するに適した形状を有する画像の画像データであり、
前記立体画像データは、
触覚によって情報を認識するに適した形状を有する画像の画像データである
ことを特徴とする請求項２記載の画像処理装置。
【請求項４】
前記立体画像データは、
２次元方向の形状が前記非立体画像データの画像を拡大した形状である
ことを特徴とする請求項３記載の画像処理装置。
【請求項５】
前記立体画像は、
白色である
ことを特徴とする請求項１記載の画像処理装置。
【請求項６】
前記画像重量手段で生成された前記重量画像データを画像形成装置に送信する重量画像データ送信手段を
さらに具備することを特徴とする請求項１記載の画像処理装置。
【請求項７】
前記画像重量手段で生成された前記重量画像データに基づいて画像形成する画像形成手段を備える
ことを特徴とする請求項１記載の画像処理装置。
【請求項８】
非立体画像が形成される非立体画像データを入力する工程と、
入力された非立体画像データに対応する立体画像データを生成する工程と、
生成された立体画像データの画像と前記非立体画像データの画像とを重畳させた重畳画像データを生成する工程と
を有することを特徴とする画像処理方法。
【請求項９】
前記非立体画像データと前記立体画像データとは、
同一内容の情報が表現される画像の画像データであり、
前記画像の形状が異なる
ことを特徴とする請求項８記載の画像処理方法。
【請求項１０】
前記非立体画像データは、
視覚によって情報を認識するに適した形状を有する画像の画像データであり、
前記立体画像データは、
触覚によって情報を認識するに適した形状を有する画像の画像データである
ことを特徴とする請求項９記載の画像処理方法。
【請求項１１】
前記立体画像データは、
２次元方向の形状が前記非立体画像データの画像を拡大した形状である
ことを特徴とする請求項１０記載の画像処理方法。
【請求項１２】
前記立体画像は、
白色の凹凸で形成される
ことを特徴とする請求項８記載の画像処理方法。
【請求項１３】
前記重量画像データを画像形成装置に送信する重量画像データ送信工程をさらに具備する
ことを特徴とする請求項８記載の画像処理方法。
【請求項１４】
平面的に画像形成された非立体画像と、立体的に画像形成された立体画像とを有し、
前記非立体画像と前記立体画像とは、同一内容の情報を表現する
ことを特徴とする画像形成媒体。
【請求項１５】
前記非立体画像と前記立体画像とは、２次元方向の形状が異なる
ことを特徴とする請求項１４記載の画像形成媒体。
【請求項１６】
前記非立体画像は、
視覚により認識しやすい形状を有し、
前記立体画像は、
触覚により認識しやすい形状を有する
ことを特徴とする請求項１４記載の画像形成媒体。
【請求項１７】
前記立体画像の２次元形状は、
前記立体画像の２次元形状を拡大したものである
ことを特徴とする請求項１６記載の画像形成媒体。
【請求項１８】
前記立体画像は、
白色で画像形成されている
ことを特徴とする請求項１４記載の画像形成媒体。
【発明の詳細な説明】
【０００１】
【発明の属する技術分野】
本発明は、画像処理装置、画像処理方法及び画像形成媒体に関し、特に、媒体の同一平面上に属性の異なる画像を形成することが可能な画像処理装置、画像処理方法、及び同一平面上に属性の異なる画像が形成された画像形成媒体に関する。
【０００２】
【従来の技術】
道路地図や駅構内の案内図など、日常の様々な場所で地図が用いられており、例えば、ある町の公民館に訪れる場合には、図１１に示すように、最寄の駅から公民館までの範囲を示す地図を参考にしていた。
【０００３】
そして、このような地図には、銀行や郵便局など、駅周辺の様々な施設に間する情報が含まれていることも多く、このような施設は、目的地までの目印にもなり、このような情報は、大変重要であった。
【０００４】
また、視力の弱い、あるいは目の不自由な人にとっては、このような画像の地図から情報を得ることは困難であり、例えば、図１２に示すように、点字等を用いて表記した触地図（立体地図）を利用していた。
【０００５】
ここで、図１２において、黒色の位置は、膨らみを有しており、指先（触覚）で情報を得ることを可能としている。
【０００６】
【発明が解決しようとする課題】
しかし、健常者では、触覚で地図を認識することが困難であるため、最寄の駅から公民館までの地図を用意する場合には、図１１に示すように、視覚で認識することが可能な地図と、図１２に示すように、触覚で認識することが可能な地図の双方を準備する必要があるため、大変なコストがかかっていた。
【０００７】
また、人に応じてそれぞれの地図を提供する必要があるため、地図を送付する場合には、大変な手間がかかっていた。
【０００８】
そこで本発明では、視力の強弱に関わらず同一の媒体で情報を提供することが可能な画像を形成する画像処理装置、画像処理方法、及び同一の媒体で情報を提供することが可能な画像形成媒体を提供することを目的とする。
【０００９】
【課題を解決するための手段】
本発明に係る画像処理装置は、非立体画像が形成される非立体画像データを入力する画像データ入力手段と、画像データ入力手段により入力された非立体画像データに対応する立体画像データを生成する立体画像データ生成手段と、立体画像データ生成手段により生成された立体画像データの画像と非立体画像データの画像とを重畳させた重畳画像データを生成する画像重畳手段とを具備する。
【００１０】
また、非立体画像データと立体画像データとは、同一内容の情報が表現される画像の画像データであり、画像の形状が異なる。
【００１１】
ここで、非立体画像データは、視覚によって情報を認識するに適した形状を有する画像の画像データであり、立体画像データは、触覚によって情報を認識するに適した形状を有する画像の画像データである。
【００１２】
そして、立体画像データは、２次元方向の形状が非立体画像データの画像を拡大した形状である。
【００１３】
なお、立体画像は、白色の凹凸で形成される。
【００１４】
また、画像重量部で生成された重量画像データを画像形成装置に送信する重量画像データ送信手段をさらに具備する。
【００１５】
また、画像重量部で生成された重量画像データに基づいて画像形成する画像形成手段を備える。
【００１６】
次に、本発明に係る画像処理方法は、非立体画像が形成される非立体画像データを入力する工程と、入力された非立体画像データに対応する立体画像データを生成する工程と、生成された立体画像データの画像と非立体画像データの画像とを重畳させた重畳画像データを生成する工程とを有する。
【００１７】
また、非立体画像データと立体画像データとは、同一内容の情報が表現される画像の画像データであり、画像の形状が異なる。
【００１８】
ここで、非立体画像データは、視覚によって情報を認識するに適した形状を有する画像の画像データであり、立体画像データは、触覚によって情報を認識するに適した形状を有する画像の画像データである。
【００１９】
そして、立体画像データは、２次元方向の形状が非立体画像データの画像を拡大した形状である。
【００２０】
なお、立体画像は、白色の凹凸で形成される。
【００２１】
また、重量画像データを画像形成装置に送信する重量画像データ送信工程をさらに具備する。
【００２２】
本発明に係る画像形成媒体は、平面的に画像形成された非立体画像と、立体的に画像形成された立体画像とを有し、非立体画像と立体画像とは、同一内容の情報を表現する。
【００２３】
また、非立体画像と立体画像とは、２次元方向の形状が異なる。
【００２４】
そして、非立体画像は、視覚により認識しやすい形状を有し、立体画像は、触覚により認識しやすい形状を有する。
【００２５】
ここで、立体画像の２次元形状は、立体画像の２次元形状を拡大したものである。
【００２６】
なお、立体画像は、白色で画像形成されている。
【００２７】
【発明の実施の形態】
以下、本発明に係る画像処理装置、画像処理方法及び画像形成媒体の実施の形態を添付図面を参照して詳細に説明する。
【００２８】
図１は、本発明に係る画像処理装置を用いたシステムの構成の一例を示す概略ブロック図であり、ＰＣ（パーソナルコンピュータ）、ワークステーションなど、画像の編集を行う画像編集装置１０と、電子写真方式のプリンタなど、画像編集装置から受信した画像形成データに基づいて画像形成を行う画像形成装置２０とが、シリアルケーブルやネットワークケーブル等の図示しない通信ケーブルを介して接続している。
【００２９】
そして、画像編集装置１０には、スキャナやＣＤＲＯＭなど、画像データの入力を行う画像入力部１１、画像データに処理を施して非立体画像と立体画像とが重畳した画像データを生成する画像データ処理部１２、画像データから画像形成データを生成する画像形成データ生成部１３が設けられ、画像処理装置として画像の処理を行う。
【００３０】
ここで、画像データ処理部１２には、非立体画像に対応する立体画像を判断する画像判断部１４、非立体画像に対応する立体画像の画像データを蓄積する画像蓄積部１５、非立体画像と立体画像を重畳させた画像データを生成する画像重畳部１６とが設けられている。
【００３１】
また、画像形成装置２０には、画像形成データに基づいて画像形成を行う画像形成部２１、画像形成を行った記録紙を排出する記録紙排出部２２が設けられており、画像形成部２１では、画像形成データに基づいて、立体画像を発泡トナーを用いて記録紙上に画像形成する共に、色トナーを用いて非立体画像を記録紙上に画像形成する。
【００３２】
次に、図２は、本発明に係る画像処理方法における画像処理の流れの一例を示すフローチャートであり、この図を用いて本実施の形態における画像処理の流れを説明する。
【００３３】
まず、画像形成を行う非立体画像が決定する（ステップ１００）と、この非立体画像に対応する立体画像を画像形成するか判断（ステップ１０１）する。
【００３４】
そして、立体画像を画像形成しないと判断する（ステップ１０１でＮＯ）と、非立体画像から画像形成データを生成（ステップ１０２）し、画像形成データから画像を形成する画像形成装置に画像形成データを送信する（ステップ１０９）。
【００３５】
また、立体画像を画像形成すると判断する（ステップ１０１でＹＥＳ）と、立体画像のみを画像形成するか判断する（ステップ１０３）。
【００３６】
ここで、立体画像のみを画像形成する（ステップ１０３でＹＥＳ）と判断すると、非立体画像に対応する立体画像の画像データを生成（ステップ１０４）し、この立体画像データから画像形成データを生成（ステップ１０５）して、画像形成装置に画像形成データを送信する（ステップ１０９）。
【００３７】
一方、立体画像のみを画像形成しない（ステップ１０３でＮＯ）と判断すると、非立体画像に対応する立体画像の画像データを生成（ステップ１０６）し、非立体画像と立体画像とを適切な位置で重畳させた画像の画像データを生成（ステップ１０７）する。
【００３８】
そして、この重畳画像データから画像形成データを生成（ステップ１０８）し、画像形成装置に画像形成データを送信する（ステップ１０９）。
【００３９】
なお、画像の重畳データとは、立体画像データの画像と非立体画像データの画像とを重畳させて記録媒体に画像形成する重畳画像のデータであり、単なるデータの合成を含む。
【００４０】
また、立体画像と非立体画像とを重畳させる際に、立体地図のオブジェクトを拡大して非立体地図のオブジェクトに重畳させるように構成することも可能で、好ましくは、指先で必要な情報を適切かつ容易に取得できるように非立体画像の画像形状が簡略化された立体画像、つまり２次元方向の形状が簡略化された立体画像を拡大する（図１１及び図１２参照）。
【００４１】
この構成では、立体画像の画像密度が低くなるため、指先（触覚）で容易に凹凸を認識することが可能となり、また、立体画像の画像密度のみが低下するため、非立体画像上の情報量は維持され、視覚で得られる情報量を維持しながら、触覚（指先）では、必要な情報を容易に認識することが可能となる。
【００４２】
そして、立体地図のオブジェクトを拡大することによって、画像を形成する媒体（記録紙）のサイズを超えた場合には、次のような処理を施して画像形成を行う。
【００４３】
１）立体地図にトリミングを施して媒体の大きさを超える領域の画像を削除して画像形成を行う。
２）立体地図を画像形成することが可能なサイズの媒体を選択して画像形成を行う。
３）立体地図を分割し、複数枚の媒体に画像形成する。
【００４４】
次に、図３を用いて、本実施の形態における立体画像データの生成方法を説明する。
【００４５】
まず、非立体画像を構成する画像要素を認識する（ステップ２００）と、画素要素が地図を示す地図オブッジェクトであるかを判断する（ステップ２１０）。
【００４６】
そして、地図オブジェクトであると判断する（ステップ２１０でＹＥＳ）と、地図オブジェクト処理を行い（ステップ２１１）、非立体画像のすべての画像要素を認識したかを判断する（ステップ２５０）。
【００４７】
また、地図オブジェクトでないと判断する（ステップ２１０でＮＯ）と、画素要素が文字を示す文字オブッジェクトであるか判断する（ステップ２２０）。
【００４８】
ここで、文字オブジェクトであると判断する（ステップ２２０でＹＥＳ）と、文字オブジェクト処理を行い（ステップ２２１）、非立体画像のすべての画像要素を認識したかを判断する（ステップ２５０）。
【００４９】
そして、文字オブジェクトでないと判断する（ステップ２２０でＮＯ）と、画素要素が他の図形を示す図形オブッジェクトであるか判断する（ステップ２３０）。
【００５０】
図形オブジェクトであると判断する（ステップ２３０でＹＥＳ）と、図形オブジェクト処理を行い（ステップ２３１）、非立体画像のすべての画像要素を認識したかを判断する（ステップ２５０）。
【００５１】
ここで、図形オブジェクトでないと判断する（ステップ２３０でＮＯ）と、画素要素がイメージを示すイメージオブッジェクトであるか判断する（ステップ２４０）。
【００５２】
また、イメージオブジェクトであると判断する（ステップ２４０でＹＥＳ）と、イメージオブジェクト処理を行い（ステップ２４１）、非立体画像のすべての画像要素を認識したかを判断する（ステップ２５０）。
【００５３】
そして、非立体画像のすべての画像要素を認識していないと判断する（ステップ２５０でＮＯ）と、他の構成画像要素を認識（ステップ２００）し、オブジェクトの判断を行う。
【００５４】
非立体画像のすべての画像要素を認識したと判断する（ステップ２５０でＹＥＳ）と、各オブジェクトを変換して立体画像を形成し、立体画像データを生成する（ステップ２６０）。
【００５５】
ここで、各オブジェクトのオブジェクト処理について、図面を用いて詳細に説明する。
【００５６】
図４は、地図オブジェクトのオブジェクト処理の流れを示すフローチャートであり、画像要素が地図オブジェクトであると判断すると、まず、地図オブジェトのコードナンバーを認識する（ステップ３１０）。
【００５７】
このコードナンバーは、地図オブジェクトが示す地域や、地図オブジェクトで表されている地形の形状などに応じて割り振られている。
【００５８】
そして、画像処理装置に記憶されている立体地図（触地図）オブジェクトの中から、地図のコードナンバーに対応する立体地図オブジェクトを取得する（ステップ３１１）。
【００５９】
また、取得した立体地図オブジェクトをコードナンバーが対応する非立体地図の位置に会わせて配置（ステップ３１２）し、非立体画像に対応する位置に各要素のオブジェクトを配置した立体画像オブジェクトを生成する（ステップ３１３）。
【００６０】
なお、同一種類の立体地図のオブジェクトを連続して表示する場合には、隣接する立体地図オブジェクトが適切に接続されるように配置する。
【００６１】
図５は、文字オブジェクトのオブジェクト処理の流れを示すフローチャートであり、画像要素が文字オブジェクトであると判断すると、まず、文字オブジェトのコードナンバーを認識する（ステップ３２０）。
【００６２】
このコードナンバーは、かな文字やアルファベット、記号など、点字に変換可能な文字に対応して割り振られており、文字オブジェクトが漢字などである場合は、読みがなに一端変換した後、コードナンバーを認識する。
【００６３】
そして、画像処理装置に記憶されている点字のオブジェクトの中から、文字のコードナンバーに対応する点字のオブジェクトを取得する（ステップ３２１）。
【００６４】
また、取得した点字のオブジェクトをコードナンバーが対応する文字の位置に会わせて配置（ステップ３２２）し、非立体画像に対応する位置に各要素のオブジェクトを配置した立体画像オブジェクトを生成する（ステップ３２３）。
【００６５】
なお、点字オブジェクトは、点字の文法に従って点字オブジェクトをさらに変換して配置するように構成することが好ましい。
【００６６】
図６は、図形オブジェクトのオブジェクト処理の流れを示すフローチャートであり、画像要素が地図でも文字でもない図形オブジェクトであると判断すると、まず、図形オブジェトのコードナンバーを認識する（ステップ３３０）。
【００６７】
このコードナンバーは、図形オブジェクトの形状などに応じて割り振られている。
【００６８】
そして、画像処理装置に記憶されている立体地図（触地図）オブジェクトの中から、図形のコードナンバーに対応する立体地図オブジェクトを取得する（ステップ３３１）。
【００６９】
また、取得した立体地図オブジェクトをコードナンバーが対応する図形の位置に会わせて配置（ステップ３３２）し、非立体画像に対応する位置に各要素のオブジェクトを配置した立体画像オブジェクトを生成する（ステップ３３３）。
【００７０】
図７は、イメージオブジェクトのオブジェクト処理の流れを示すフローチャートであり、画素要素がイメージオブジェクトであると判断すると、イメージオブジェクトの種類を認識する（ステップ４００）。
【００７１】
そして、イメージオブジェクトが地図イメージであるか判断（ステップ４１０）し、地図イメージであると判断する（ステップ４１０でＹＥＳ）と、イメージオブジェクトに地図イメージ処理を行う（ステップ４１１）。
【００７２】
また、地図イメージではないと判断する（ステップ４１０でＮＯ）と、文字イメージであるかの判断を行い（ステップ４２０）、文字イメージであると判断する（ステップ４２０でＹＥＳ）と、イメージオブジェクトに文字イメージ処理を行う（ステップ４２１）。
【００７３】
一方、文字イメージでないと判断する（ステップ４２０でＮＯ）と、地図及び文字以外の他の図形イメージであるかの判断を行い（ステップ４３０）、他の図形イメージであると判断する（ステップ４３０でＹＥＳ）と、イメージオブジェクトに図形イメージ処理を行う（ステップ４３１）。
【００７４】
また、他の図形イメージでないと判断する（ステップ４２０でＮＯ）と、このイメージオブジェクトのオブジェクト処理を中止し、非立体画像の全ての画素要素の認識が終了したか確認する。
【００７５】
ここで、種類のイメージのイメージ処理について、図面を用いて詳細に説明する。
【００７６】
図８は、地図イメージのイメージ処理の流れを示すフローチャートであり、画像要素が地図イメージ（文字以外の平面形状をあらわす図形）であると判断すると、まず、地図イメージの形状を認識する（ステップ５１０）。
【００７７】
そして、地図イメージの形状と類似形状の立体地図（触地図）の地図オブジェクトを取得する（ステップ５１１）。
【００７８】
また、取得した立体地図オブジェクトを対応する地図イメージの位置に会わせて配置（ステップ５１２）し、非立体画像に対応する位置に各要素のオブジェクトを配置した立体画像オブジェクトを生成する（ステップ３１３）。
【００７９】
なお、同一種類の立体地図のオブジェクトを連続して表示する場合には、隣接する立体地図オブジェクトが適切に接続されるように配置する。
【００８０】
図９は、文字イメージのイメージ処理の流れを示すフローチャートであり、画像要素が文字イメージであると判断すると、まず、文字イメージにＯＣＲ（ｏｐｔｉｃａｌ　ｃｈａｒａｃｔｅｒ　ｒｅａｄｅｒ）処理を施す（ステップ５２０）。
【００８１】
そして、文字イメージを文字オブジェクトに変換し、この文字オブジェクトに対応するコードナンバーを認識する（ステップ５２１）。
【００８２】
このコードナンバーは、かな文字やアルファベット、記号など、点字に変換可能な文字に対応して割り振られており、文字オブジェクトが漢字などである場合は、読みがなに一端変換した後、コードナンバーを認識する。
【００８３】
そして、画像処理装置に記憶されている点字のオブジェクトの中から、文字のコードナンバーに対応する点字のオブジェクトを取得する（ステップ５２２）。
【００８４】
また、取得した点字のオブジェクトを文字オブジェクトに変換した文字イメージの位置に会わせて配置（ステップ５２３）し、非立体画像に対応する位置に各要素のオブジェクトを配置した立体画像オブジェクトを生成する（ステップ５２４）。
【００８５】
なお、点字オブジェクトは、点字の文法に従って点字オブジェクトをさらに変換して配置するように構成することが好ましい。
【００８６】
図１０は、図形イメージのイメージ処理の流れを示すフローチャートであり、画像要素が地図でも文字でもない図形イメージ（立体図形）であると判断すると、まず、図形イメージの平面方向の形状に対応した非立体画像オブジェクトを生成する（ステップ５３０）。
【００８７】
そして、図形イメージの位置に対応して非立体画画像オブジェクトを配置（ステップ５３１）し、非立体画像に対応する位置に各要素のオブジェクトを配置した非立体画像オブジェクトを生成する（ステップ５３２）。
【００８８】
このように本実施の形態では、入力された非立体画像に対応する立体画像を容易に画像形成することができる。
【００８９】
また、立体画像と非立体画像とを重畳させるため、画像形成を行う媒体（記録紙）の同一面に立体画像と非立体画像とを形成することが可能で、視力が弱い、強いに関わらず対応することが可能な地図を容易かつ安価に製造することができる。
【００９０】
ここで、立体画像と非立体画像とを重畳させる際に、必要な情報が適切かつ容易に取得できるように２次元方向の形状が簡略化された立体画像（図１１及び図１２参照）を拡大して非立体画像に重畳することにより、非立体画像上の情報量を維持しつつ、指先（触覚）で容易に凹凸を認識することが可能となる。
【００９１】
さらに、立体画像を白色の発泡トナーなど、記録紙と同色の発泡トナーを用いて画像形成し、その上に色トナーを用いて非立体画像を画像形成することにより、立体画像の凹凸が非立体画像の表現に与える影響を抑えることができる。
【００９２】
加えて、発泡トナーは、トナー自体が膨張して高さを生じさせるため、凹凸を読むための指との接触等によって凹凸の高さが減少することを防止することができる。
【００９３】
なお、本実施の形態では、画像処理装置で画像処理を施して非立体画像と立体画像とを重畳させているが、図１で示した画像データ処理部を画像形成装置内に設け、画像編集装置から送信された非立体画像の画像形成データ（非立体画像データ）に対して立体画像データを重畳させるデータ処理を施し、その後、画像形成を行うように構成することもできる。
【００９４】
【発明の効果】
このように本発明では、視力の強弱に関わらず同一の媒体で情報を提供することができる。
【図面の簡単な説明】
【図１】本発明に係る画像処理装置を用いたシステムの構成の一例を示す概略ブロック図
【図２】本実施の形態における画像処理の流れを示すフローチャート
【図３】本実施の形態における立体画像データ生成の流れを示すフローチャート
【図４】地図オブジェクトのオブジェクト処理の流れを示すフローチャート
【図５】文字オブジェクトのオブジェクト処理の流れを示すフローチャート
【図６】図形オブジェクトのオブジェクト処理の流れを示すフローチャート
【図７】イメージオブジェクトのオブジェクト処理の流れを示すフローチャート
【図８】地図イメージのイメージ処理の流れを示すフローチャート
【図９】文字イメージのイメージ処理の流れを示すフローチャート
【図１０】図形イメージのイメージ処理の流れを示すフローチャート
【図１１】非立体画像の地図の一例を示す平面図
【図１２】立体画像の地図（触地図）の一例を示す平面図
【符号の説明】
１０…画像編集装置
１１…画像入力部
１２…画像データ処理部
１３…画像形成データ生成部
１４…画像判断部
１５…画像蓄積部
１６…画像重畳部
２０…画像形成装置
２１…画像形成部
２２…記録紙排出部
【図１】
2004077928.tif 000003
【図２】
2004077928.tif 000004
【図３】
2004077928.tif 000005
【図４】
2004077928.tif 000006
【図５】
2004077928.tif 000007
【図６】
2004077928.tif 000008
【図７】
2004077928.tif 000009
【図８】
2004077928.tif 000010
【図９】
2004077928.tif 000011
【図１０】
2004077928.tif 000012
【図１１】
2004077928.tif 000013
【図１２】
2004077928.tif 000014